【手続補正書】
【提出日】令和3年3月9日(2021.3.9)
【手続補正１】
【補正対象書類名】明細書
【補正対象項目名】０００１
【補正方法】変更
【補正の内容】
【０００１】
本発明は、情報処理装置、情報処理システム、制御方法、及びプログラムに関する。
【手続補正２】
【補正対象書類名】明細書
【補正対象項目名】００１０
【補正方法】変更
【補正の内容】
【００１０】
そこで、本発明では、電子メールに付与されたアクセス先に関する情報を表示することが可能な情報処理装置、情報処理システム、制御方法、及びプログラムを提供することを目的とする。
【手続補正３】
【補正対象書類名】明細書
【補正対象項目名】００１１
【補正方法】変更
【補正の内容】
【００１１】
上記課題を解決するための本発明は、情報処理装置のプログラムであって、アクセス先を示す文字列の一部を記憶する記憶手段と、電子メールに記載されたアクセス先を示す文字列の少なくとも一部を抽出する抽出手段と、前記抽出手段で抽出した文字列と、前記記憶手段に記憶されている文字列とを比較する比較手段と、前記比較手段による比較結果を表示制御する表示制御手段として機能させることを特徴とする。
また、上記課題を解決するための本発明は、情報処理装置を、アクセス先を示す短縮ＵＲＬを記憶する記憶手段と、電子メールに記載されたアクセス先を示す文字列を抽出する抽出手段と、前記抽出手段で抽出した文字列と、前記記憶手段に記憶されている短縮ＵＲＬとを比較する比較手段と、前記比較手段による比較結果を表示制御する表示制御手段、として機能させることを特徴とする。
【手続補正４】
【補正対象書類名】明細書
【補正対象項目名】００１２
【補正方法】変更
【補正の内容】
【００１２】
本発明によれば、電子メールに付与されたアクセス先に関する情報を表示することが可能となる。
【手続補正５】
【補正対象書類名】特許請求の範囲
【補正対象項目名】全文
【補正方法】変更
【補正の内容】
【特許請求の範囲】
【請求項１】
情報処理装置を、
アクセス先を示す文字列の一部を記憶する記憶手段と、
電子メールに記載されたアクセス先を示す文字列の少なくとも一部を抽出する抽出手段と、
前記抽出手段で抽出した文字列と、前記記憶手段に記憶されている文字列とを比較する比較手段と、
前記比較手段による比較結果を表示制御する表示制御手段として機能させるためのプログラム。
【請求項２】
前記抽出手段で抽出する文字列と前記記憶手段に記憶されている文字列はホスト名を示す文字列であって、
前記表示制御手段を、
前記比較手段で比較した結果、前記抽出手段で抽出したホスト名と前記記憶されているホスト名とが一致している場合、前記電子メールに記載されたアクセス先が不正である旨を表示制御する手段として機能させるための請求項１に記載のプログラム。
【請求項３】
情報処理装置を、
アクセス先を示す短縮ＵＲＬを記憶する記憶手段と、
電子メールに記載されたアクセス先を示す文字列を抽出する抽出手段と、
前記抽出手段で抽出した文字列と、前記記憶手段に記憶されている短縮ＵＲＬとを比較する比較手段と、
前記比較手段による比較結果を表示制御する表示制御手段、
として機能させるためのプログラム。
【請求項４】
前記表示制御手段を、
前記抽出手段によって抽出した文字列が、短縮ＵＲＬとして前記記憶手段に記憶されている場合、前記電子メールに記載されたアクセス先が不正である旨を表示制御する手段として機能させるための請求項３に記載のプログラム。
【請求項５】
前記表示制御手段を、
前記電子メールに特定の拡張子が含まれるファイルが添付されている場合、前記電子メールが不正である旨を表示制御する手段として機能させるための請求項１乃至４のいずれか１項に記載のプログラム。
【請求項６】
前記情報処理装置を、
前記比較手段で比較した結果を用いて、前記アクセス先に関する情報を通知する通知手段として機能させるための請求項１乃至５のいずれか１項に記載のプログラム。
【請求項７】
アクセス先を示す文字列の一部を記憶する記憶手段と、
電子メールに記載されたアクセス先を示す文字列の少なくとも一部を抽出する抽出手段と、
前記抽出手段で抽出した文字列と、前記記憶手段に記憶されている文字列とを比較する比較手段と、
前記比較手段による比較結果を表示制御する表示制御手段と、
を備えることを特徴とする情報処理装置。
【請求項８】
アクセス先を示す文字列の一部を記憶する記憶手段を含む情報処理装置の制御方法であって、
電子メールに記載されたアクセス先を示す文字列の少なくとも一部を抽出する抽出ステップと、
前記抽出ステップで抽出した前記文字列と、前記記憶手段に記憶されている文字列とを比較する比較ステップと、
前記比較ステップによる比較結果を表示制御する表示制御ステップと、
を含むことを特徴とする情報処理装置の制御方法。
【請求項９】
アクセス先を示す短縮ＵＲＬを記憶する記憶手段と、
電子メールに記載されたアクセス先を示す文字列を抽出する抽出手段と、
前記抽出手段で抽出した文字列と、前記記憶手段に記憶されている短縮ＵＲＬとを比較する比較手段と、
前記比較手段による比較結果を表示制御する表示制御手段と、
を備えることを特徴とする情報処理装置。
【請求項１０】
アクセス先を示す短縮ＵＲＬを記憶する記憶手段を含む情報処理装置の制御方法であって、
電子メールに記載されたアクセス先を示す文字列を抽出する抽出ステップと、
前記抽出ステップで抽出した文字列と、前記記憶手段に記憶されている短縮ＵＲＬとを比較する比較ステップと、
前記比較ステップによる比較結果を表示制御する表示制御ステップと、
を含むことを特徴とする情報処理装置の制御方法。
【請求項１１】
アクセス先を示す文字列の一部を記憶する記憶手段と通信可能な情報処理システムを、
電子メールに記載されたアクセス先を示す文字列の少なくとも一部を抽出する抽出手段と、
前記抽出手段で抽出した文字列と、前記記憶手段に記憶されている文字列とを比較する比較手段と、
前記比較手段による比較結果を表示制御する表示制御手段
として機能させるためのプログラム。
【請求項１２】
アクセス先を示す文字列の一部を記憶する記憶手段と通信可能な情報処理システムであって、
電子メールに記載されたアクセス先を示す文字列の少なくとも一部を抽出する抽出手段と、
前記抽出手段で抽出した文字列と、前記記憶手段に記憶されている文字列とを比較する比較手段と、
前記比較手段による比較結果を表示制御する表示制御手段と、
を備えることを特徴とする情報処理システム。
【請求項１３】
アクセス先を示す文字列の一部を記憶する記憶手段と通信可能な情報処理システムの制御方法であって、
電子メールに記載されたアクセス先を示す文字列の少なくとも一部を抽出する抽出ステップと、
前記抽出ステップで抽出した文字列と、前記記憶手段に記憶されている文字列とを比較する比較ステップと、
前記比較ステップによる比較結果を表示制御する表示制御ステップと、
を含むことを特徴とする情報処理システムの制御方法。
【請求項１４】
アクセス先を示す短縮ＵＲＬを記憶する記憶手段と通信可能な情報処理システムを、
電子メールに記載されたアクセス先を示す文字列を抽出する抽出手段と、
前記抽出手段で抽出した文字列と、前記記憶手段に記憶されている短縮ＵＲＬとを比較する比較手段と、
前記比較手段による比較結果を表示制御する表示制御手段、
として機能させるためのプログラム。
【請求項１５】
アクセス先を示す短縮ＵＲＬを記憶する記憶手段と通信可能な情報処理システムであって、
電子メールに記載されたアクセス先を示す文字列を抽出する抽出手段と、
前記抽出手段で抽出した文字列と、前記記憶手段に記憶されている短縮ＵＲＬとを比較する比較手段と、
前記比較手段による比較結果を表示制御する表示制御手段と、
を備えることを特徴とする情報処理システム。
【請求項１６】
アクセス先を示す短縮ＵＲＬを記憶する記憶手段と通信可能な情報処理システムの制御方法であって、
電子メールに記載されたアクセス先を示す文字列を抽出する抽出ステップと、
前記抽出ステップで抽出した文字列と、前記記憶手段に記憶されている短縮ＵＲＬとを比較する比較ステップと、
前記比較ステップによる比較結果を表示制御する表示制御ステップと、
を含むことを特徴とする情報処理システムの制御方法。